(57)【要約】      （修正有）【課題】取り付けに専用の機器が不要であり、在来工法の建築物に対しても容易に適用が可能で、且つ作業工数が小さく、コスト低減が可能な床下間隙の閉止部材を提供する。【解決手段】在来工法における床下構造は、所定間隔寸法離間して互いに平行に配置された大引き４５、及び根太受け４６と、上記大引きと根太受けの上部に、上記大引きと根太受けに対して直交方向に固定され、上記根太受けに沿って所定間隔寸法離間して配置された根太４７と、上記根太の上部に固定された床板材とから構成される。上記根太受け４６と床板材４９との間に生じる間隙を閉止するための床下間隙の閉止部材１０は、所定の厚さ寸法を有し、発泡性の合成樹脂からなる第一の板材１１と、上記第一の板材に対して直角を成すように接合された第二の板材１２とからなり、上記第一の板材は上記床板材の裏面側に当接固定されて配置されると共に、上記第二の板材は、根太受け材４６の側面、又は土台４２の側面部に当接固定されて配置された構成とする。【選択図】図３
0003163395.tif 000002
【実用新案登録請求の範囲】
【請求項１】
所定間隔寸法離間して互いに平行に配置された大引き及び根太受けと、上記大引きと根太受けの上部に、上記大引きと根太受けに対して直交方向に固定され、上記根太受けに沿って所定間隔寸法離間して配置された根太と、上記根太の上部に固定された床板材とから構成される、在来工法における床下構造において、上記根太受けと床板材との間に生じる間隙を閉止するための床下間隙の閉止部材であって、
所定の厚さ寸法を有し、発泡性の合成樹脂からなる第一の板材と、上記第一の板材に対して直角を成すように接合された第二の板材とからなり、上記第一の板材は上記床板材の裏面側に当接固定されて配置されると共に、上記第二の板材は、根太受け材の側面、又は土台の側面部に当接固定されて配置されることを特徴とする床下間隙の閉止部材。
【請求項２】
上記第一の板材及び第二の板材は、夫々同一の長さ寸法を有する長方形に形成され、夫々の幅方向端部において長さ方向に沿って接合されていることを特徴とする請求項１記載の床下間隙の閉止部材。
【請求項３】
上記閉止部材の内側面部において、上記第一の板材及び第二の板材の幅方向に沿って互いに連続する溝部が形成され、
上記溝部は、上記第一の板材及び第二の板材の長さ方向に沿って、所定間隔寸法離間して複数本形成されていることを特徴とする請求項１記載の床下間隙の閉止部材。
【請求項４】
上記床下間隙の閉止部材は、螺子止めにより上記床板材の裏面側、及び上記根太受け材の側面又は土台の側面部に固定されていることを特徴とする請求項１記載の床下間隙の閉止部材。
【請求項５】
上記床下間隙の閉止部材は、接着剤により上記床板材の裏面側、及び上記根太受け材の側面又は土台の側面部に固定されていることを特徴とする請求項１記載の床下間隙の閉止部材。
【請求項６】
上記第一の板材及び第二の板材は、発泡ポリウレタンから形成されることを特徴とする請求項１記載の床下間隙の閉止部材。
【考案の詳細な説明】
【技術分野】
【０００１】
本考案は、所定間隔寸法離間して互いに平行に配置された大引きと根太受けと、上記大引きと根太受けの上面部に、上記大引きと根太受けに対して直交方向に固定された根太と、上記根太受けに沿って所定間隔寸法離間して配置されると共に、上記根太の上面部に固定された床板材とから構成される、在来工法における床下構造において、上記根太受けと床板材との間に生じる間隙を閉止するための床下間隙の閉止部材に関する。
【背景技術】
【０００２】
図５は所謂在来工法における床下構造４０を示す下方斜視図である。
図５に示すように、在来工法における床下構造４０においては、コンクリート製の基礎４１と、上記基礎４１の上部に配設された角材からなる土台４２と、床下の地面に設置された束石４３と上記束石４３の上部に固定されて立設した角材からなる束柱４４と、上記束柱４４の上端部に上記束柱４４と直交して配設された角材からなる大引き４５と、上記土台４２の内側側面５６に固定され、上記大引き４５に並行に配置された板材からなる根太受け４６と、上記根太受け４６と上記大引き４５の上部に、上記根太受け４６と大引き４５に直交すると共に所定間隔寸法離間して複数本配設された角材からなる根太４７とから形成されている。
【０００３】
図５に示すように、上記根太４７の上には床板４９が敷かれている。
室内の温度保持等のために、上記床板４９の下面側には、必要に応じ断熱材４８が配設されている。
しかしながら、図５に示すように、上記在来工法における床下構造４０にあっては、上記根太４７の高さ寸法分の隙間５３が、上記床板４９と上記根太受け４６との間形成されると共に、隙間５４が、上記床板４９と土台４２との間に形成されるため、上記隙間５３、５４を介して、外気が内壁面５１と外壁面５２との間に入り込み、室内の内壁面５１に配設されたコンセントボックス（図示せず）のプラグ差込孔部等から室内に流れ込むため、室内の断熱が十分に行われないという不具合を有していた。
【０００４】
上記不具合を解決するために、上記隙間５３、５４に発泡剤を吹きつけて閉止する方法が採用されていた。
しかしながら、上記作業には、専用の機器が必要であると共に、機器の搬入等のため、工事が大掛かりとなり、在来工法で建築された既存の建築物に対し、別途作業を行うことは困難であった。
また、専用の機器が必要であることから、工事作業の工数が大きくなることから、作業コストが大きくなるという別途の不具合を有していた。
【考案の開示】
【考案が解決しようとする課題】
【０００５】
本考案の解決する課題は、取り付けに専用の機器が不要であり、在来工法の既存建築物に対しても容易に適用が可能で、且つ作業工数が小さく、コスト低減が可能な床下間隙の閉止部材を提供することにある。
【課題を解決するための手段】
【０００６】
上記課題を解決するために、請求項１に記載した考案に係る床下間隙の閉止部材は、所定間隔寸法離間して互いに平行に配置された大引き、及び根太受けと、上記大引きと根太受けの上部に、上記大引きと根太受けに対して直交方向に固定され、上記根太受けに沿って所定間隔寸法離間して配置された根太と、上記根太の上部に固定された床板材とから構成される、在来工法における床下構造において、上記根太受けと床板材との間に生じる間隙を閉止するための床下間隙の閉止部材であって、所定の厚さ寸法を有し発泡性の合成樹脂からなる第一の板材と、上記第一の板材に対して直角を成すように接合された第二の板材とからなり、上記第一の板材は上記床板材の裏面側に当接固定して配置されると共に、上記第二の板材は、根太受け材の側面、又は土台の側面部に当接固定して配置されることを特徴とする。
【０００７】
従って、上記第一の板材及び第二の板材によって、根太受けと床板材との間に生じる間隙を閉止する。
【０００８】
また、請求項２に記載した考案に係る床下間隙の閉止部材は、上記第一の板材及び第二の板材は、夫々同一の長さ寸法を有する長方形に形成され、夫々の幅方向端部において長さ方向に沿って接合されていることを特徴とする。
【０００９】
従って、上記第一の板材及び第二の板材の長さ寸法に亘って、根太受けと床板材との間の間隙が閉止される。
【００１０】
また、請求項３に記載した考案に係る床下間隙の閉止部材は、上記閉止部材の内側面部において、上記第一の板材及び第二の板材の幅方向に沿って互いに連続する溝部が形成され、上記溝部は、上記第一の板材及び第二の板材の長さ方向に沿って、所定間隔寸法離間して複数本形成されていることを特徴とする。
【００１１】
従って、根太の配置されている間隔寸法に従って、上記溝部に沿って上記閉止部材を切断することによって、長さ寸法の調整を行う。
【００１２】
また、請求項４に記載した考案に係る床下間隙の閉止部材は、螺子止めにより固定されていることを特徴とする。
従って、上記閉止部材と根太受けとは、螺子によって固定される。
【００１３】
また、請求項５に記載した考案に係る床下間隙の閉止部材は、接着剤により固定されていることを特徴とする。
従って、上記閉止部材と根太受けとは、上記接着剤の粘着力によって固定される。
【００１４】
また、請求項６に記載した考案に係る床下間隙の閉止部材は、上記第一の板材及び第二の板材は、発泡ポリウレタンから形成されることを特徴とする。
【考案の効果】
【００１５】
請求項１に記載した考案にあっては、根太受けと床板材との間に生じる間隙を閉止するための床下間隙の閉止部材であって、所定の厚さ寸法を有し発泡性の合成樹脂からなる第一の板材と、上記第一の板材に対して直角を成すように接合された第二の板材とからなり、上記第一の板材は上記床板材の裏面側に当接固定して配置されると共に、上記第二の板材は、根太受け材の側面、又は土台の側面部に当接固定して配置されることから取り付けに専用の機器が不要であり、在来工法の既存建築物に対しても、後付での設置が容易であり、作業工数が小さく、作業コストの低減が可能な床下間隙の閉止部材を提供することができる。
【００１６】
また、請求項２に記載した考案にあっては、上記第一の板材及び第二の板材は、夫々同一の長さ寸法を有する長方形に形成され、夫々の幅方向端部において長さ方向に沿って接合されていることから、請求項１の効果に加え、単純な形状からなることから、上記閉止部材の材料費用、及び加工費用が低減できる。
【００１７】
また、請求項３に記載した考案にあっては、上記閉止部材の内側面部において、上記第一の板材及び第二の板材の幅方向に沿って互いに連続する溝部が形成され、上記溝部は、上記第一の板材及び第二の板材の長さ方向に沿って、所定間隔寸法離間して複数本形成されていることから、建築物によって異なる、根太の間隔寸法に合わせて、長さ寸法を容易に調製することができる。
【００１８】
また、請求項４及び請求項５記載した考案にあっては、固定手段に螺子止め、若しくは接着剤を用いることから、特別な部品及び固定道具は不要であり、取り付け作業が極めて容易である。
【００１９】
また、請求項６に記載した考案にあっては、発泡ポリウレタンにより形成されることによって、非常に断熱性が高い。
【図面の簡単な説明】
【００２０】
【図１】本実施例の一実施の形態を示し、実施例の形態おける床下間隙の閉止部材の斜視図である。
【図２】本考案の一実施の形態を示し、在来工法による床下部において、閉止部材を床板と土台に装着した状態を示す斜視図である。
【図３】本考案の一実施の形態を示し、在来工法による床下部において、閉止部材を床板と根太受けに装着した状態を示す斜視図である。
【図４】本実施例の一実施の形態を示し、（ａ）閉止部材を装着した状態における床下角部の状態を示す側面図、（ｂ）は嵌め込み部材の斜視図である。
【図５】在来工法における床下構造の一部を示す下方斜視図である。
【考案を実施するための最良の形態】
【００２１】
本考案を実施するための形態について、添付図面を用いて以下説明する。
図１に示すように、本実施例に、係る床下間隙の閉止部材１０は、所定の厚さ寸法を有し発泡ポリウレタンからなる第一の板材１１と、上記第一の板材１１に対して直角を成すように接合された第二の板材１２とから形成されている。
また、上記第一の板材１１及び第二の板材１２は、夫々同一の長さ寸法を有する長方形に形成され、夫々の幅方向端部１１ａ、１２ａにおいて長さ方向に沿って接合されている。
また、上記閉止部材１０の内側面部１３において、上記第一の板材１１及び第二の板材１２の幅方向に沿って、溝部１４が形成されている。
【実施例１】
【００２２】
本実施例の構成について図面を用いて説明する。
図１に示すように、本実施例に、おいては閉止部材１０の第一の板材１１と第二の板材１２は、それぞれ厚さ寸法２０ｍｍに形成されている。
また、第一の板材１１は、幅寸法１５０ｍｍ、長さ寸法３００ｍｍに形成されると共に、第二の板材１２は幅寸法１１０ｍｍ、長さ寸法３００ｍｍに形成されている。
また、第一の板材１１の幅方向一端部１１ａと第二の板材１２の幅方向一端部１２ａは、互いに当接接合させた場合に、上記第一の板材１１と第二の板材１２とが直角を成して接合されるように、傾斜角θが４５度に形成されている。
【００２３】
また、上記溝部１４は上記第一の板材１１の長さ方向一端部１１ｂと第二の板材１２の長さ方向一端部１２ｂから、約１０ｍｍ離間した位置から形成され、上記第一の板材１１と第二の板材１２の長さ方向に沿って、約９ｍｍずつ離間して合計５本形成されている。
【００２４】
また、上記溝部１４の深さ寸法は、上記第一の板材１１と第二の板材１２の厚さ寸法の２／３である約１５ｍｍに形成されている。
【００２５】
以下に、図５に示す在来工法における床下構造において、床板４９と根太受けとの間に生じる隙間５３、床板４９と土台４２との間に生じる隙間５４を、本実施例に、係る閉止部材１０で閉止する場合を例に、以下添付図面を用いて説明する。
図５に示す床下構造において、床板４９と根太受け４６との間の隙間５３を閉止する場合には、図２に示すように、上記第一の板材１１を根太受け４６の側面部５５に当接させ、螺子１５、１５若しくは、上記第一の板材１１の外側面部に塗布された接着剤（図示せず）を介して、上記根太受け４６の側面部５５に固定する。
また、図５に示す、床板４９と土台４２との間の隙間５４を閉止する場合には、図３に示すように、上記第一の板材１１を土台４２の側面部５６に当接させ、螺子１６、１６、若しくは上記第一の板材１１の外側面部に塗布された接着剤（図示せず）を介して、上記土台４２の側面部５６に固定する。
【００２６】
この際、図２、図３に示すように、上記第一の板材１１を固定する前に、上記第二の板材１２を、床板４９の裏面側、または、床板４９の裏面側に板状の断熱材４８が配設されている場合には上記断熱材４８の裏面側に、強く押し付けておくことによって、上記第一の板材１１が固定されることにより、床板４９等に密着して固定されるため、上記第二の板材１２は螺子止め及び接着剤による固定は不要である。
【００２７】
また、根太４７の間隔寸法が異なる場合であっても、図１に示すように、上記溝部１４に沿って、上記閉止部材１０を分割することによって、適宜適切な長さ寸法に調整することができる。
【００２８】
図２及び図３及び図５に示すように、本実施例に、よれば、閉止部材１０を、根太受け４６、若しくは土台４２に固定するのみで、隙間５３、５４を閉止することが可能であり、在来工法による建築物に対しても、簡単に断熱対策を講じることが可能である。
【００２９】
また、図４に示す、床下の角部５７においては、図４（ａ）に示すように、閉止部材１０、１０の間に長方形の間隙５８が形成される。
上記の場合は、図４（ｂ）に示すように、上記間隙５８と同一形状に形成され、閉止部材１０と同様に発砲ポリウレタンからなる嵌め込み部材５９を、上記間隙５８に嵌め込むことによって、上記間隙を閉止し、外気の侵入を更に確実に防止することができる。
【００３０】
なお、本実施例に、示す閉止部材の第一の板材、第二の板材の厚さ寸法、長さ寸法、及び幅寸法は、根太の間隔寸法、及び床下面積等の変化に合わせて適宜調整しても、本実施例と同様の作用・効果を得ることができる。
また、閉止部材の材質についても、本実施例に、示した発泡ポリウレタンンの他、発泡スチロール等の発泡合成樹脂材を用いることもできる。
【産業上の利用可能性】
【００３１】
本考案は、所定間隔寸法離間して互いに平行に配置された大引きと根太受けと、上記大引きと根太受けの上面部に、上記大引きと根太受けに対して直交方向に固定された根太と、上記根太受けに沿って所定間隔寸法離間して配置されると共に、上記根太の上面部に固定された床板材とから構成される、在来工法における床下構造において、上記根太受けと床板材との間に生じる間隙を閉止するための床下間隙の閉止部材に適用可能である。
【符号の説明】
【００３２】
１０  閉止部材
１１  第一の板材
１１ａ第一の板材の幅方向一端部
１２  第二の板材
１２ａ第二の板材の幅方向一端部
１３  閉止部材の内側面部
１４  溝部
１５  螺子
１６  螺子
４０  床下構造
４１  基礎
４２  土台
４３  束石
４４  束柱
４５  大引き
４６  根太受け
４７  根太
４８  断熱材
４９  床板
５１  内壁面
５２  外壁面
５３  隙間
５４  隙間
５５  根太受けの側面部
５６  土台の側面部
５７  床下の角部
５８  間隙
５９  嵌め込み部材
θ    第一の板材及び第二の板材の幅方向一端部の傾斜角
【図１】
0003163395.tif 000003
【図２】
0003163395.tif 000004
【図３】
0003163395.tif 000005
【図４】
0003163395.tif 000006
【図５】
0003163395.tif 000007